(57)【特許請求の範囲】
【請求項１】
軸部材（３）をリング部材（１）に軸線方向に固定する軸部材とリング部材との確実な結合構造であって、軸部材（３）が外周溝（４１）を有し、リング部材（１）が内側溝（２１）を有し、内側溝（２１）に、周方向に開口部を有しているロッキングリング（５）が固定状態で係合する構成の前記軸部材とリング部材との確実な結合構造において、ロッキングリング（５）が第１の一部領域（５６，５７，５１，５３）と第２の一部領域（５２，５４，５５）とを有し、第１の一部領域（５６，５７，５１，５３）が、リング部材（１）の内穴（２）に挿入可能であるようにロッキングリング（５）を弾性的にスパイラル状に圧縮させ、且つロッキングリング（５）を外側溝（４１）の領域へスライドさせ、且つロッキングリング（５）を自由にして弾性支持させた後、前記内側溝（２１）に係合し、第２の一部領域（５２，５４，５５）が、ロッキングリング（５）を内側溝（２１）に挿着した後に該内側溝（２１）から突出し、且つ内穴（２）に押し込まれる軸部材（３）の段部（７）で弾性的に外側へ押され、その結果ロッキングリング（５）が外周溝（４１）の領域に達し且つ第２の一部領域（５２，５４，５５）がこの外周溝（４１）に弾性的に嵌合するまでロッキングリング（５）を軸部材（３）の周囲にて滑動させることができるようにし、前記ロッキングリング（５）が、１つのベース部分（５２）と該ベース部分（５２）に接続する２つの脚部分（５４，５５）とから形成されるほぼ三角形の形状を有し、第１の一部領域がベース部分と脚部分との間にある２つのコーナー領域（５１，５３）により形成され、三角形の脚部分の、前記開口部に境を接する自由端部領域（５６，５７）と、第２の一部領域とが、ベース部分（５２）の中央領域と脚部分（５４，５５）の中央領域とにより形成されていることを特徴とする軸部材とリング部材との確実な結合構造。
【請求項２】
第１および第２の一部領域がそれぞれ内側溝（２１）の周囲または周溝（４１）のまわりに均等に分配されていることを特徴とする請求項１に記載の軸部材とリング部材との確実な結合構造。
【請求項３】
脚部分（５４，５５）とベース部分（５２）とがほぼ二等辺三角形を形成していることを特徴とする請求項１に記載の軸部材とリング部材との確実な結合構造。
【請求項４】
コーナー領域（５１，５３）が面取り状とされていることを特徴とする請求項１から３までのいずれか一つに記載の軸部材とリング部材との確実な結合構造。
【請求項５】
コーナー領域（５１，５３）の面取り状部が内側溝（２１）の底部（２２）の半径に整合していることを特徴とする請求項４に記載の軸部材とリング部材との確実な結合構造。
【発明の詳細な説明】
【技術分野】
【０００１】
本発明は、請求項１の前文に記載のロッキングリングに関するものである。
【背景技術】
【０００２】
この種のロッキングリングは公知である。たとえば特許文献１から読み取れるスナップリングは、溝傾斜部を備え、リング部材の内穴に設けた内側溝または旋削溝に弾性的に掛止させるための環状穴と、取り付け用の半径方向自由空間を備えて、ピンに設けた外側溝であって、リング部材とピンとを着脱可能にスナップ結合させるために用いられる外側溝とを有している。このスナップリングを取り付けるには、該スナップリングを上方へ湾曲させ、ピンの外側溝に掛止されるまでピン上をスライドさせる。次に、スナップリングを取り付けたピンを、端面側傾斜部を備えたリング部材の内穴へ押し込むが、その際スナップリングは圧縮し、リング部材の内側溝に達したときに半径方向に拡大して、ピンとリング部材とを軸線方向において互いにロックさせる。
【０００３】
この種のスナップリングの問題は、ピンに取り付けた後、ピンの外側溝内で理想的に心合わせ状態になっておらず、その結果そのスナップリングを取り付けたピンをリング部材の内穴に挿入させるための大きな段部または端面側傾斜部をリング部材に設けることが必要であり、或いはこのために特殊な補助装置が必要であるので、リング部材へのスナップリングの挿着に不具合があることである。
【０００４】
【特許文献１】独国特許第４１０９４８１Ｃ２号明細書
【発明の開示】
【発明が解決しようとする課題】
【０００５】
本発明の課題は、軸部材とハブ部材またはリング部材とを結合させる前にリング部材の内側溝内ですでに比較的正確に心合わせ状態にあり、その結果リング部材に固定される軸部材の挿着時に、その軸部材の段部でロッキングリングを拡開させるための再現性に優れた力が発生するようなロッキングリングを提供することである。
【課題を解決するための手段】
【０００６】
この課題は、請求項１の構成を備えたロッキングリングにより解決される。
【０００７】
本発明によるロッキングリングの主要な利点は、軸部材とリング部材とを結合させる場合、軸部材の挿入傾斜部の領域または段部の領域でリングを拡開させるため、非常に再現性に優れた且つ均一な力が発生することにある。これにより、取り付けの際の力を監視することによって確実なロックを難なく検知して確認することができる。本発明によるロッキングリングは、その使用時に高回転数でも不平衡問題が発生しないよう構成されているので有利である。
【０００８】
この場合、特に重要で効果的なことは、本発明によるロッキングリングをリング部材の内側溝で弾性支持した後、端部領域がロッキングリングの開口部または分割部に配置され、その結果特に軸部材を押し込む際に端部領域が軸線方向に変位しないことである。
【０００９】
軸部材とリング部材とを結合させる際に特別な補助装置が必要ないので有利である。
【００１０】
本発明の特別な実施形態では、軸部材の内側溝は少なくとも片側で斜めに段状に形成され、その結果軸部材とリング部材との間に形成される結合部の解除は軸線方向の十分大きな力を作用させることで可能である。これに対して、エッジを鋭く形成した軸部材の内側溝の場合には、ロッキングリングを無理やりに剪断しなければ軸部材とリング部材との結合を解除することはできない。
【００１１】
本発明によるロッキングリングは、特に三角形または多角形、卵形または楕円形に形成された材料横断面を有していてよい。この場合、ロッキングリングを挿着させる溝を備えたリング部材に軸部材を押し込んだときにロッキングリングが軸部材の周方向に見て可能な限り均一に該軸部材に当接するのが特に有利である。
【００１２】
本発明の有利な構成は従属項から読み取れるであろう。
【発明を実施するための最良の形態】
【００１３】
次に、本発明およびその構成を図面を参照して詳細に説明する。
【００１４】
図１において１はリング状のリング部材、３は軸部材、５が本発明によるロッキングリングである。
【００１５】
リング状のリング部材１は円形の内穴２を有しており、内穴２にリング状の内側溝２１が配置されている。軸部材３の外周４にはリング状の外周溝４１が配置されている。
【００１６】
ロッキングリング５は、１つの好ましい実施形態によれば、実質的に、ベース部分５２と、該ベース部分５２に配置されている側部の脚部分５４，５５とを有し、ベース部分５２と脚部分５４，５５とでほぼ三角形の形状を持っている。この場合、脚部分５４または５５の、互いに対向している自由端５６と５７は、周方向において互いに間隔を持って位置しているのが好ましい。ベース部分５２は好ましくは面取りした状態のコーナー領域５３を介して脚部分５４と結合されている。対応的にベース部分５２は好ましくは面取りした状態のコーナー領域５１を介して脚部分５５と結合されている。形状が実質的に二等辺三角形に相当しているのが特に好ましい。この場合、端部領域５６，５７は第３のコーナーの領域に配置される。
【００１７】
図１は本発明によるロッキングリング５を取り付けた状態で示したもので、少なくともコーナー領域５１，５３と端部領域５６，５７とはリング状部材１の内側溝２１に係合し、且つ少なくともベース部分５３と脚部分５４と５５との中央領域は軸部材３の周溝４１に係合しており、リング部材１と軸部材３とを互いにロックさせて軸線方向に相対運動しないよう互いに固定させている。
【００１８】
次に、図２ないし図４をも参照してリング部材１を軸部材３と結合させる組み立てステップについて詳細に説明する。
【００１９】
まず、軸部材３をリング部材１に嵌合させる前に、ベース部分５２と脚部分５４と５５とが好ましくはそれぞれ直線状に延びているロッキングリング５を図２ｂにしたがってスパイラル状に圧縮させて、その外径Ｄａがリング部材１の内穴２の内径Ｄｉよりも小さいようにする。次に、このように圧縮させたロッキングリング５をリング部材１内で軸線方向に移動させて、ロッキングリング５が内側溝２１の領域に到達するようにする。その後ロッキングリング５を自由にさせ、その結果ロッキングリング５は弾性的に開いてそのコーナー領域５１，５３と端部領域５６，５７とが内側溝２１の底壁２２で支持される。この状態は図３ａと図３ｂに図示してあり、この場合図３ｂには図３ａでのロッキングリング５の位置が切断線ＩＩ−ＩＩにより示してある。
【００２０】
図４によれば、軸部材３をリング部材１の内穴２に押し込む。この場合、軸部材３は押し込み方向に見てその前端に段部７または傾斜部を有している。段部７または傾斜部はロッキングリング５の内側領域に係合し、軸部材３を内穴２に連続的に押し込んだときに段部７の径が連続的に大きくなるので内側領域を拡大させ、その内側領域が軸部材３の外周４で弾性的に支持されるようになる。ロッキングリング５が段部７で拡大される状態を図４ｂに示す。
【００２１】
軸部材３を押し込み方向にさらに押し込み、周溝４１を内側溝２１の領域とその内側溝２１内に配置されているロッキングリング５の領域へ到達させる。このときロッキングリング５の、軸部材３の外径部に当接している領域（特にベース部分５１と脚部分５４，５５の中央領域）は内側溝４１に弾性的に嵌合して軸部材３をリング部材１にロックさせ、そして図１に図示した、好ましくは円弧状に外側へ変形された脚部分５４，５５およびベース部分５２の構成部は軸部材３の周溝４１の底部に、コーナー領域５１，５３と端部領域５６，５７とはリング部材１の内側溝２１の底部２２にそれぞれ弾性的に当接する。
【００２２】
以上は三角形の構成を備えたロッキングリングを説明したが、他の形状、たとえば卵形または楕円形または多角形の形状も考えられ、この場合ロッキングリングの一部領域（好ましくは面取りしたコーナー領域）がロッキングリングの取り付け状態でリング部材１の内側溝２１の底部に当接し、他の一部領域（好ましくは個々のコーナー領域の間の領域）が軸部材３の内側溝４１の底部に当接することが重要である。ロッキングリングの特に好ましい構成は、前記一部領域の当接点が内側溝２１の内周または周溝２１の内周にできるだけ均一に分布しているような構成である。
【００２３】
図６は本発明の他の構成を示すもので、この構成では、軸部材３の周溝４１は軸線方向に斜めに延びる２つの側壁２３を有しており、その結果リング部材１と軸部材３との間で行なわれた結合の解除は適当な力を両軸線方向に加えることで可能であり、この場合ロッキングリング５は斜めに延びている側壁２３において拡大されて、内側溝２１に係合しているその一部領域が該内側溝２１から突出する。軸線方向に力を加えたときに、ロッキングリング５の、周溝４１に係合している一部領域が、該周溝４１から押し出されるようにするために、１つまたは２つの対応する斜めの側壁を周溝４１に設けてもよい。
【００２４】
図７は本発明によるロッキングリングの他の好ましい実施形態の概略図であり、ロッキングリング５’と５”は正方形または五角形の形状を備えている。４つまたは５つのコーナーよりも多いコーナーを備えた多角形状も考えられる。
【００２５】
図８は卵形の形状を備えたロッキングリング５'''を示している。楕円形の形状も考えられる。
【００２６】
本発明との関連で特に重要なことは、ロッキングリング５，５’，５”，５'''がそれぞれ該ロッキングリング５，５’，５”，５'''の開口部または分割部の領域に配置されていること、開口部または分割部がそれぞれロッキングリング５，５’，５”，５'''の最大径部にあることである。このようにして、ロッキングリング５，５’，５”，５'''をリング部材１に挿入し、リング部材１の内側溝２１のほうへスライドさせ、ロッキングリング５，５’，５”，５'''を弾性支持した後に、ロッキングリング５，５’，５”，５'''の端部領域５６，５７，５６’，５７’，５６”，５７”，５６'''，５７'''がリング部材１の内側溝２１に配置されることが保証される。このように端部領域５６，５７，５６’，５７’，５６”，５７”，５６'''，５７'''が内側溝２１に配置されることにより、組み立てステップの段階で軸部材３を押し込んだ場合、および組み立て状態でのその後も、好ましくはリング部材１の内側溝２１の底壁２２で弾性支持される端部領域５６，５７，５６’，５７’，５６”，５７”，５６'''，５７'''が移動または変位するのが阻止されるので有利である。それ故、リング部材１でロッキングリング５，５’，５”，５'''を軸線方向において特に好適に位置固定することが達成される。図１、図７、図８の実施形態で説明した端部領域５１，５３，５１’，５２’，５３’，５１”，５２”，５３”，５４”，５５”も組み立て状態では同様にリング部材１の内側溝２１に弾性的に係合する。それぞれ２つのコーナー領域にある中央部分または最大径部の２つの領域の間にある中央部分はそれぞれ軸部材３の外側溝４１に弾性的に係合して、軸部材３を軸線方向に固定させるとともに、リング部材１に対して固定させる。
【図面の簡単な説明】
【００２７】
【図１】軸部材とリング部材とを結合させる本発明によるロッキングリングの取り付け状態の断面図である。
【図２】リング部材の横断面図、および、リング部材の内側溝に挿着するためにスパイラル状に圧縮された本発明によるロッキングリングの横断面図である。
【図３】リング部材の横断面図、および、リング部材の内側溝に挿着された本発明によるロッキングリングの横断面図である。
【図４】リング部材の横断面図、および、リング部材の内穴にじかに挿着された軸部材の横断面図または軸部材の段部でじかに拡大された本発明によるロッキングリングの横断面図である。
【図５】リング部材およびリング部材と結合された軸部材の横断面図である。
【図６】本発明の他の構成を示す図である。
【図７】本発明の他の構成を示す図である。
【図８】本発明の他の構成を示す図である。
【図１】
0004722832.tif 000002
【図２ａ−ｂ】
0004722832.tif 000003
【図３ａ−ｂ】
0004722832.tif 000004
【図４ａ−ｂ】
0004722832.tif 000005
【図５】
0004722832.tif 000006
【図６】
0004722832.tif 000007
【図７】
0004722832.tif 000008
【図８】
0004722832.tif 000009